(57)【要約】 【課題】  ハンドルレバーに曲げ応力がかかったときにも、この応力をボリュームの回転軸に伝達することがないパチンコ機の操作ハンドルを提供する。【解決手段】ハンドルレバーの回転軸２１にＤ形孔部２２を設け、ボリューム３の回転軸３１にＤカット部３２を設けて、Ｄ形孔部２２とＤカット部３２とをＤ形筒状のジョイント部材４により接続したパチンコ機の操作ハンドルであって、ジョイント部材４の外部湾曲面４２に湾曲面４２の周方向に延伸する山形隆起５１を突設し、その外部平坦面４１には山形隆条５２を山形隆起５１につなげて突設して、山形隆起５１をＤ形孔部２２の内部湾曲面２４と線接触させ、山形隆条５２をＤ形孔部２２の内部平坦面２３と線接触させた。山形隆起５１、山形隆条５２の何れか一つ又は二つともＤ形孔部２２の内面に設けることができる。【選択図】  図３
2011062279.tif 000002
【特許請求の範囲】
【請求項１】
ハンドルレバーの回転軸にＤ形孔部を設け、ボリュームの回転軸にＤカット部を設けて、前記Ｄ形孔部とＤカット部とをＤ形筒状のジョイント部材により接続したパチンコ機の操作ハンドルであって、
Ｄ形孔部の内部湾曲面又はＤ形筒状のジョイント部材の外部湾曲面に、湾曲面の周方向に延伸する山形隆起を突設し、Ｄ形孔部の内部平坦面又はジョイント部材の外部平坦面には、平坦面を横切る山形隆条を前記山形隆起につなげて突設したうえに、
ジョイント部材の一端をハンドルレバーのＤ形孔部に挿入するとともに、他端にボリュームのＤカット部を挿入して、
山形隆起をジョイント部材の外部湾曲面又はＤ形孔部の内部湾曲面と線接触させ、山形隆条をジョイント部材の外部平坦面又はＤ形孔部の内部平坦面と線接触させたことを特徴とするパチンコ機の操作ハンドル。
【請求項２】
ハンドルレバーの回転軸にＤカット軸を設け、ボリュームの回転軸にＤカット部を設けて、前記Ｄカット軸とＤカット部とをＤ形挿通孔を有するジョイント部材により接続したパチンコ機の操作ハンドルであって、
Ｄカット軸の外部湾曲面又はＤ形挿通孔の内部湾曲面には、湾曲面の周方向に延伸する山形隆起を突設し、Ｄカット軸の外部平坦面又はＤ形挿通孔の内部平坦面には、平坦面を横切る山形隆条を前記山形隆起につなげて突設したうえに、
ジョイント部材の一端にハンドルレバーのＤカット軸を挿入するとともに、他端にボリュームのＤカット部を挿入して、
山形隆起をジョイント部材の内部湾曲面又はＤカット軸の外部湾曲面と線接触させ、山形隆条をジョイント部材の内部平坦面又はＤカット軸の外部平坦面と線接触させたことを特徴とするパチンコ機の操作ハンドル。
【請求項３】
Ｄカット部が挿入されたジョイント部材の内部湾曲面に、湾曲面の周方向に延伸する山形突起を突設し、ジョイント部材の内部平坦面には、平坦面を横切る山形突条を前記山形突起とつなげて突設して、山形突起をＤカット部の外部湾曲面に線接触させ、山形突条をＤカット部の外部平坦面に線接触させた請求項１又は２に記載のパチンコ機の操作ハンドル。
【発明の詳細な説明】
【技術分野】
【０００１】
本発明は、玉を発射するときに使用されるパチンコ機の操作ハンドルに関するものである。
【背景技術】
【０００２】
従来のパチンコ機の操作ハンドルは、例えば特許文献１に開示されているように、ハンドルレバーに連結棒を設け、この連結棒をボリュームの回転軸に直結する構造のものであった。しかしながらこのような構造のものにおいては、遊技者がハンドルレバーとハンドルベースとの隙間にコインを挟む等してハンドルレバーにラジアル方向（回転軸と直角の方向）の曲げ応力が加わったばあいには、ボリュームの回転軸にもラジアル方向の曲げ応力が直接かかるために、ボリュームが破損されてしまうことがある。その結果、発射装置による玉の発射強度の調整が不可能になるという問題があった。
【０００３】
このような問題を解決できる操作ハンドルとして、特許文献２には、ハンドルレバーの回転軸に主動ギアを設け、ボリュームの回転軸には従動ギアを設けてこれらのギアを噛合させることによって、ハンドルレバーにラジアル方向の曲げ応力がかかったときにも、この応力をボリュームの回転軸に伝達しないようにしたものが開示されている。しかしながら、ギアを用いたばあいには、ハンドルレバーの奥に位置するハンドルベース内で主動ギアと従動ギアとのそれぞれの基準歯車同士を組み合わせねばならず、よって組み付け作業がしづらく、また操作ハンドルの構造が複雑になってしまうという問題があった。また、特許文献３には、シリコンゴム等からなるジョイント部材を用いてハンドルレバーの回転軸とボリュームの回転軸とを接続したものが開示されているが、長時間使用した場合にはシリコンゴムの劣化により接続部が緩んだりして高精度にボリュームの回転を制御することができなくなって玉の発射速度がばらつくという問題がある。
【先行技術文献】
【特許文献】
【０００４】
【特許文献１】特開２０００−２１７９７３号公報    （図２）
【特許文献２】特開２００４−８９５９３号公報      （図１）
【特許文献３】特開２００３−２１０７０４号公報    （図２）
【発明の概要】
【発明が解決しようとする課題】
【０００５】
本発明は、上記した従来の問題点に鑑み、構造が簡単であって、ハンドルレバーに曲げ応力がかかったときにも、この応力をボリュームの回転軸に伝達することがないパチンコ機の操作ハンドルを提供することを課題とする。
【課題を解決するための手段】
【０００６】
上記の課題を解決するためになされた本発明に係るパチンコ機の操作ハンドルは、ハンドルレバーの回転軸にＤ形孔部を設け、ボリュームの回転軸にＤカット部を設けて、前記Ｄ形孔部とＤカット部とをＤ形筒状のジョイント部材により接続したパチンコ機の操作ハンドルであって、
Ｄ形孔部の内部湾曲面又はＤ形筒状のジョイント部材の外部湾曲面に、湾曲面の周方向に延伸する山形隆起を突設し、Ｄ形孔部の内部平坦面又はジョイント部材の外部平坦面には、平坦面を横切る山形隆条を前記山形隆起につなげて突設したうえに、
ジョイント部材の一端をハンドルレバーのＤ形孔部に挿入するとともに、他端にボリュームのＤカット部を挿入して、
山形隆起をジョイント部材の外部湾曲面又はＤ形孔部の内部湾曲面と線接触させ、山形隆条をジョイント部材の外部平坦面又はＤ形孔部の内部平坦面と線接触させたことを特徴とするものである。
【０００７】
上記した発明において、山形隆起と山形隆条とをＤ形孔部に設けることができるし、山形隆起と山形隆条とをジョイント部材に設けることができる。また、山形隆起と山形隆条の何れか一方をＤ形孔部又はジョイント部材に設けたうえに、設けていない他方の山形隆条又は山形隆起をジョイント部材又はＤ形孔部に設けることができる。
【０００８】
また、本発明のパチンコ機の操作ハンドルは、ハンドルレバーの回転軸にＤカット軸を設け、ボリュームの回転軸にＤカット部を設けて、前記Ｄカット軸とＤカット部とをＤ形挿通孔を有するジョイント部材により接続したパチンコ機の操作ハンドルであって、
Ｄカット軸の外部湾曲面又はＤ形挿通孔の内部湾曲面には、湾曲面の周方向に延伸する山形隆起を突設し、Ｄカット軸の外部平坦面又はＤ形挿通孔の内部平坦面には、平坦面を横切る山形隆条を前記山形隆起につなげて突設したうえに、
ジョイント部材の一端にハンドルレバーのＤカット軸を挿入するとともに、他端にボリュームのＤカット部を挿入して、
山形隆起をジョイント部材の内部湾曲面又はＤカット軸の外部湾曲面と線接触させ、山形隆条をジョイント部材の内部平坦面又はＤカット軸の外部平坦面と線接触させたことを特徴とするものである。
【０００９】
上記した発明において、山形隆起と山形隆条とをＤカット軸に設けることができるし、山形隆起と山形隆条とをジョイント部材に設けることができる。また、山形隆起と山形隆条の何れか一方をＤカット軸又はジョイント部材に設けたうえに、設けていない他方の山形隆条又は山形隆起をジョイント部材又はＤカット軸に設けることができる。
【００１０】
以上のような発明において、Ｄ形筒状のジョイント部材の他端の内部湾曲面に、湾曲面の周方向に延伸する山形突起を突設し、ジョイント部材の他端の内部平坦面には、平坦面を横切る山形突条を前記山形突起とつなげて突設して、山形突起をボリューム回転軸のＤカット部外部湾曲面に線接触させ、山形突条をＤカット部の外部平坦面に線接触させることができる。
【発明の効果】
【００１１】
請求項１の操作ハンドルは、Ｄ形孔部の内部湾曲面又はＤ形筒状のジョイント部材の外部湾曲面に湾曲面の周方向に伸びる山形隆起を設け、Ｄ形孔部の内部平坦面又はジョイント部材の外部平坦面に前記山形隆起につなげて山形隆条を設けたので、山形隆起をジョイント部材の外部湾曲面又はＤ形孔部の内部湾曲面と線接触させ、山形隆条をジョイント部材の外部平坦面又はＤ形孔部の内部平坦面と線接触させることができ、これによって回転軸に曲げ応力がかかったときにも、この応力をボリュームの回転軸に非伝達とすることができる。
【００１２】
請求項２の操作ハンドルは、Ｄカット軸の外部湾曲面に又はＤ形挿通孔を有するジョイント部材の内部湾曲面に、湾曲面の周方向に伸びる山形隆起を設け、Ｄカット軸の外部平坦面に又はジョイント部材の内部平坦面に、平坦面を横切る山形隆条を前記山形隆起につなげて設けたので、山形隆起をジョイント部材の内部湾曲面又はＤカット軸の外部湾曲面と線接触させ、山形隆条をジョイント部材の内部平坦面又はＤカット軸の外部平坦面と線接触させることができ、これによって回転軸に曲げ応力がかかったときにも、この応力をボリュームの回転軸に非伝達とすることができる。
【００１３】
請求項３の操作ハンドルは、ジョイント部材の内側面に山形突起や山形突条を設けたので、この山形突起や山形突条をボリューム回転軸のＤカット部に線接触させることによっても、ハンドルレバーの回転軸とボリュームの回転軸とを平行として、ハンドルレバーにかかった曲げ応力をボリュームに非伝達とすることができる。
【００１４】
本発明は、Ｄ形筒状のジョイント部材又はＤ形挿通孔を有するジョイント部材を用いるので、部品点数を少なくできて、しかもギアと異なり差し込むだけで簡単に正しい位置関係で組み付け作業を行うことができる。また、回転軸に働く曲げ応力を非伝達とし、回転力を確実に伝達できるという顕著な効果を奏することができる。
【図面の簡単な説明】
【００１５】
【図１】第１の実施形態の操作ハンドルの垂直断面図である。
【図２】操作ハンドルの要部の斜視図である。
【図３】操作ハンドルの要部の拡大断面図である。
【図４】操作ハンドルの要部の斜視図である。
【図５】ジョイント部材の斜視図である。
【図６】ジョイント部材の側面図である。
【図７】第２の実施形態の要部斜視図である。
【図８】第２の実施形態の要部拡大図である。
【図９】第３の実施形態の説明図である。
【発明を実施するための形態】
【００１６】
以下に、本発明の実施形態に付いて説明する。
図１−４は、第１の実施形態の操作ハンドルを示す図であって、操作ハンドルは、合成樹脂製のハンドルベース１、前方カバー１１、ハンドルレバー２と、ボリューム３とを備えている。
【００１７】
ハンドルレバー２は中心に回転軸２１を有するが、回転軸２１には横断面Ｄ形の孔部２２が設けられている。ボリューム３は、電気抵抗を調整するための回転軸３１を有し、回転軸３１にはＤカット部３２が形成されている。Ｄ形孔部２２とＤカット部３２との間には、Ｄ形筒状のジョイント部材４が介装されている。ジョイント部材４は一端がＤ型孔部２２の傾斜段差２５により、他端がＤカット部３２の段差部３５により当接されているので、スラスト方向に移動することはない。なお、段差部３５側の当接部にはジョイント部材４摺動のための小隙間を持たせる必要がある。さらに、段差部２５に代えて後述する山形隆起５１と接する円弧であってもよい。
【００１８】
Ｄ形孔部２２は、内部平坦面２３と内部湾曲面２４とを有する。Ｄカット部３２は、外部平坦面３３と外部湾曲面３４とを有する。ジョイント部材４は、外部平坦面４１と外部湾曲面４２と、内部平坦面４３と内部湾曲面４４とを有する。
【００１９】
ジョイント部材４には外部湾曲面４２の一端に、湾曲面４２の周方向に延伸する山形隆起５１が設けられている。また外部平坦面４１の一端には、外部平坦面４１を横切り山形隆起５１とつながる山形隆条５２が設けられている。このジョイント部材４の一端がＤ形孔部２２に挿入されて、山形隆起５１はＤ形孔部２２の内部湾曲面２４と円弧状に線接触し、山形隆条５２は内部平坦面２３と直線状に線接触している。よって、ハンドルレバー２にラジアル方向の曲げ応力がかかったときにもハンドルレバー２が山形隆起５１、山形隆条５２と接触する位置をずらすことができるので、この応力をボリューム３の回転軸３１に非伝達とすることできる。
【００２０】
また、ジョイント部材４の内部湾曲面４４には山形突起５３が形成され、内部平坦面４３には山形突状５４が形成されており、これらがボリューム３のＤカット部３２の外部湾曲面３４、外部平坦面３３と線接触しているので、ジョイント部材４は山形突起５３，山形突状を中心として回動することができる（図３）。よって、ハンドルレバー２の回転軸２１に曲げ応力がかかったときには、回転軸２１の中心線は、ボリューム３の回転軸３１の中心線に対して平行に位置ズレすることができるので、ハンドルレバー２の回転操作を円滑に行うことができる。ハンドルレバー２の回動力は、回転軸２１とジョイント部材４の接続部分、及びジョイント部材４と回転軸３１との接続部分が非円形のＤ形に形成されているので、空回りすることなく回動力を確実に伝達することができる。なお、図３において、山形隆起５１と山形隆条５２の頂部は同一の中心を有する円弧からなるものとすることによって、通常のボールジョイントのように滑らかな回転動作をすることができる。
【００２１】
図７〜８に、第２の実施形態を示す。この形態の操作ハンドルにおいては、Ｄ形孔部２２の内部平坦面２３の全面に山形隆条５２が形成されて、山形隆条５２はジョイント部材４の外部平坦面４１と一線で接触している。また、ジョイント部材４の外部湾曲面４２には、山形隆起５１が山形隆条５２と軸方向に位置をずらすことなく同一の位置に、すなわち山形隆起５１の端部が山形隆条５２の端部とつながる位置に形成されていて、山形隆起５１はＤ形孔部２２の内部湾曲面２４と円弧状の線でもって接触している。よって、操作ハンドル２の回転軸２１に直角方向の曲げ応力が加わった場合に、この曲げ応力をボリュームに非伝達とすることができる。
【００２２】
図９には、第３の実施形態を示す。この実施形態において、６はハンドルレバーの回転軸に設けられたＤカット軸であり、Ｄカット軸６は、外部平坦面６１と外部湾曲面６２を有する。ジョイント部材４は横断面形状Ｄ形の挿通孔４５を有している。ジョイント部材４の外形には特に制限はなく、Ｄ形状であってもよく円形状であってもよい。
【００２３】
ジョイント部材４の一端にはＤカット軸６が挿入され、他端にはＤカット部３２が挿入されている。ジョイント部材４の一端の内部平坦面４３には山形隆条５２が設けられ、この山形隆条５２につなげて山形隆起５１が内部湾曲面４４に設けられている。山形隆条５２と山形隆起５１をこのように形成しても山形隆条５２、山形隆起５１がＤカット軸６の外部側面と線でもって接触することができるので、曲げ応力をボリューム３に非伝達とすることができる。Ｄカット軸６の先端はＤカット部３２の端部に当接されて位置決めされている。またＤカット軸６の先端には湾曲面６３が形成されていて、曲げ応力のかかったときにＤカット軸の回動を容易に行うことができる。なお、山形隆条５２、山形隆起５１の双方をＤカット軸６に設けることもできるし、どちらか一つをＤカット軸６に設けて、他の一つをジョイント部材４に設けても、同様の効果を得ることができる。
【符号の説明】
【００２４】
２  ハンドルレバー、３  ボリューム、４  ジョイント部材、２１  ハンドルレバーの回転軸、２２  Ｄ形孔部、２３  内部平坦面、２４  内部湾曲面、３１  ボリュームの回転軸、３２  Ｄカット部、４１  外部平坦面、４２  外部湾曲面、５１  山形隆起、５２  山形隆条、
【図１】
2011062279.tif 000003
【図２】
2011062279.tif 000004
【図３】
2011062279.tif 000005
【図５】
2011062279.tif 000006
【図６】
2011062279.tif 000007
【図７】
2011062279.tif 000008
【図８】
2011062279.tif 000009
【図９】
2011062279.tif 000010
【図４】
2011062279.tif 000011